(57)【特許請求の範囲】
【請求項１】
ワイヤレスデバイス（１１０）によって、データ通信用アプリケーション別輻輳制御（ＡＣＤＣ）に基づいてネットワーク（１００）へのアクセスを判断するための方法であって、
１又は複数の通信により、複数のＡＣＤＣカテゴリのそれぞれ１つに対する指示、および前記ＡＣＤＣカテゴリ全てに共通である、複数のアクセスクラスに対するビットマップを取得するために、ＡＣＤＣ規制情報（４０２）をネットワークノード（１１５）から受信することであって、前記ＡＣＤＣ規制情報（４０２）は、前記複数のＡＣＤＣカテゴリのそれぞれ１つに対する指示、および前記ビットマップのうちの少なくとも１つを含む、受信することと、
前記ネットワーク（１００）との第１の接続を開始する前記ワイヤレスデバイス（１１０）のアプリケーションに応答して、前記ネットワーク（１００）へのアクセスが規制されているかを、前記アプリケーションに関連付けられる特定のＡＣＤＣカテゴリに対する特定の指示に基づいて判断することと、
前記ネットワーク（１００）との第２の接続を開始する前記ワイヤレスデバイス（１１０）の前記アプリケーションに応答して、
前記ネットワーク（１００）へのアクセスが、前記アプリケーションに関連付けられる前記特定のＡＣＤＣカテゴリに対して、規制から非規制に変更になっているかを、前記ワイヤレスデバイス（１１０）によって判断することと、前記ビットマップ、および前記ワイヤレスデバイス（１１０）に関連付けられるアクセスクラスに基づいて、前記ワイヤレスデバイス（１１０）による前記ネットワーク（１００）へのアクセスがブロックされているまたは許可されているかどうかを判断することと、を含む、方法。
【請求項２】
前記特定のＡＣＤＣカテゴリに対する前記特定の指示は１つのビットを含む、請求項１に記載の方法。
【請求項３】
前記１つのビットに対する第１の値は前記特定のＡＣＤＣカテゴリが規制されていることを前記ワイヤレスデバイス（１１０）に指示し、前記１つのビットに対する第２の値は前記特定のＡＣＤＣカテゴリが規制されていないことを前記ワイヤレスデバイス（１１０）に指示する、請求項２に記載の方法。
【請求項４】
前記ビットマップは複数のビットを含み、前記複数のビットのそれぞれは、前記複数のアクセスクラスのうちの関連付けられた１つが規制されているかどうかを指示する、請求項１に記載の方法。
【請求項５】
前記ＡＣＤＣ規制情報（４０２）を受信することは、前記複数のＡＣＤＣカテゴリのそれぞれ１つに対する前記指示を含む第１の通信を受信することと、前記ビットマップを含む第２の通信を受信することとを含む、請求項１に記載の方法。
【請求項６】
前記ビットマップは前記複数のＡＣＤＣカテゴリに共通であるアクセスクラス規制情報（４０２）を含む、請求項１に記載の方法。
【請求項７】
前記ＡＣＤＣ規制情報（４０２）は規制されている最上位のＡＣＤＣカテゴリの情報を含み、
前記ワイヤレスデバイス（１１０）によって、前記ネットワーク（１００）へのアクセスが規制から非規制に変更になっていることを判断することは、前記アプリケーションが関連付けられる前記特定のＡＣＤＣカテゴリが、前記規制されている最上位のＡＣＤＣカテゴリより上位であるかを判断することを含む、請求項１に記載の方法。
【請求項８】
ワイヤレスデバイス（１１０）であって、
データ通信用アプリケーション別輻輳制御（ＡＣＤＣ）に基づいてネットワーク（１００）にアクセスするための命令を記憶するメモリ（３３０）と、
前記命令を実行するように動作可能であるプロセッサ（３２０）とを含み、
前記命令は、前記プロセッサ（３２０）に、
１又は複数の通信により、複数のＡＣＤＣカテゴリのそれぞれ１つに対する指示、および前記ＡＣＤＣカテゴリ全てに共通である、複数のアクセスクラスに対するビットマップを取得するために、前記複数のＡＣＤＣカテゴリのそれぞれ１つに対する指示、および前記ビットマップのうちの少なくとも１つを含む、ＡＣＤＣ規制情報を、ネットワークノード（１１５）から受信させ、
前記ネットワーク（１００）との第１の接続を開始する前記ワイヤレスデバイス（１１０）のアプリケーションに応答して、前記ネットワーク（１００）へのアクセスが規制されているかを、前記アプリケーションに関連付けられる特定のＡＣＤＣカテゴリに対する特定の指示に基づいて判断させ、
前記ネットワーク（１００）との第２の接続を開始する前記ワイヤレスデバイス（１１０）の前記アプリケーションに応答して、前記ネットワーク（１００）へのアクセスが、前記アプリケーションに関連付けられる前記特定のＡＣＤＣカテゴリに対して、規制から非規制に変更になっているかを判断させ、前記ビットマップ、および前記ワイヤレスデバイス（１１０）に関連付けられるアクセスクラスに基づいて、前記ワイヤレスデバイス（１１０）による前記ネットワーク（１００）へのアクセスがブロックされているまたは許可されているかどうかを判断させるものである、ワイヤレスデバイス（１１０）。
【請求項９】
前記特定のＡＣＤＣカテゴリに対する前記特定の指示は１つのビットを含む、請求項８に記載のワイヤレスデバイス（１１０）。
【請求項１０】
前記１つのビットに対する第１の値は前記特定のＡＣＤＣカテゴリが規制されていることを前記ワイヤレスデバイス（１１０）に指示し、前記１つのビットに対する第２の値は前記特定のＡＣＤＣカテゴリが規制されていないことを前記ワイヤレスデバイス（１１０）に指示する、請求項９に記載のワイヤレスデバイス（１１０）。
【請求項１１】
前記ビットマップは複数のビットを含み、前記複数のビットのそれぞれは、前記複数のアクセスクラスのうちの関連付けられた１つが規制されているかどうかを指示する、請求項８に記載のワイヤレスデバイス（１１０）。
【請求項１２】
前記ＡＣＤＣ規制情報を受信することは、前記複数のＡＣＤＣカテゴリのそれぞれ１つに対する前記指示を含む第１の通信を受信することと、前記ビットマップを含む第２の通信を受信することとを含む、請求項８に記載のワイヤレスデバイス（１１０）。
【請求項１３】
前記ビットマップは前記複数のＡＣＤＣカテゴリに共通であるアクセスクラス規制情報を含む、請求項８に記載のワイヤレスデバイス（１１０）。
【請求項１４】
前記ＡＣＤＣ規制情報（４０２）は規制されている最上位のＡＣＤＣカテゴリの情報を含み、
前記プロセッサ（３２０）は、前記アプリケーションが関連付けられる前記特定のＡＣＤＣカテゴリが、規制されている前記最上位の前記ＡＣＤＣカテゴリより上位であるかを判断することによって、前記ネットワーク（１００）へのアクセスが規制から非規制に変更になっているかを判断するように動作可能である、請求項８に記載のワイヤレスデバイス（１１０）。
【請求項１５】
ネットワークノード（１１５）によって、データ通信用アプリケーション別輻輳制御（ＡＣＤＣ）のアクセス制御情報を提供するための方法であって、
前記ネットワークノード（１１５）によって、複数のＡＣＤＣカテゴリのそれぞれ１つに対する指示、および前記ＡＣＤＣカテゴリ全てに共通である、複数のアクセスクラスに対するビットマップのうちの少なくとも１つを含むＡＣＤＣ規制情報（４０２）を判断することと、
１又は複数の通信により、前記複数のＡＣＤＣカテゴリのそれぞれ１つに対する指示、および前記ビットマップをワイヤレスデバイス（１１０）が取得するように、前記ネットワークノード（１１５）から前記ＡＣＤＣ規制情報（４０２）をワイヤレスデバイス（１１０）に送信することと、を含む、方法。
【請求項１６】
特定のＡＣＤＣカテゴリに対する特定の指示は１つのビットを含む、請求項１５に記載の方法。
【請求項１７】
前記１つのビットに対する第１の値は前記特定のＡＣＤＣカテゴリが規制されていることを前記ワイヤレスデバイス（１１０）に指示し、前記１つのビットに対する第２の値は前記特定のＡＣＤＣカテゴリが規制されていないことを前記ワイヤレスデバイス（１１０）に指示する、請求項１６に記載の方法。
【請求項１８】
前記ビットマップは複数のビットを含み、前記複数のビットのそれぞれは、複数のアクセスクラスのうちの関連付けられた１つが規制されているかどうかを指示する、請求項１５に記載の方法。
【請求項１９】
前記ＡＣＤＣ規制情報（４０２）をワイヤレスデバイス（１１０）に送信することは、前記複数のＡＣＤＣカテゴリのそれぞれ１つに対する前記指示を含む第１の通信を送信することと、前記ビットマップを含む第２の通信を送信することと、を含む、請求項１５に記載の方法。
【請求項２０】
データ通信用アプリケーション別輻輳制御（ＡＣＤＣ）のアクセス制御情報を提供するネットワークノード（１１５）であって、
命令を記憶するメモリ（２３０）と、
前記命令を実行するように動作可能であるプロセッサ（２２０）であって、
前記プロセッサ（２２０）に、複数のＡＣＤＣカテゴリのそれぞれ１つに対する指示、および前記ＡＣＤＣカテゴリ全てに共通である、複数のアクセスクラスに対するビットマップのうちの少なくとも１つを含むＡＣＤＣ規制情報（４０２）を判断させ、
１又は複数の通信により、前記複数のＡＣＤＣカテゴリのそれぞれ１つに対する指示、および前記ビットマップをワイヤレスデバイス（１１０）が取得するように、前記ＡＣＤＣ規制情報（４０２）をワイヤレスデバイス（１１０）に送信させる、プロセッサ（２２０）と、を含む、ネットワークノード（１１５）。
【請求項２１】
特定のＡＣＤＣカテゴリに対する特定の指示は１つのビットを含む、請求項２０に記載のネットワークノード（１１５）。
【請求項２２】
前記１つのビットに対する第１の値は特定のＡＣＤＣカテゴリが規制されていることを前記ワイヤレスデバイス（１１０）に指示し、前記１つのビットに対する第２の値は前記特定のＡＣＤＣカテゴリが規制されていないことを前記ワイヤレスデバイス（１１０）に指示する、請求項２１に記載のネットワークノード（１１５）。
【請求項２３】
前記ＡＣＤＣ規制情報（４０２）を送信する時、前記プロセッサ（２２０）は、前記複数のＡＣＤＣカテゴリのそれぞれ１つに対する前記指示を含む第１の通信を送信するように、かつ、前記ビットマップを含む第２の通信を送信するように動作可能である、請求項２０に記載のネットワークノード（１１５）。
【発明の詳細な説明】
【技術分野】
【０００１】
優先権
本出願は、「Ｓｙｓｔｅｍ  ａｎｄ  Ｍｅｔｈｏｄ  ｆｏｒ  Ｐｒｏｖｉｄｉｎｇ  Ｃｏｎｔｒｏｌ  Ｉｎｆｏｒｍａｔｉｏｎ  ｆｏｒ  Ａｐｐｌｉｃａｔｉｏｎ−ｓｐｅｃｉｆｉｃ  Ｃｏｎｇｅｓｔｉｏｎ  Ｃｏｎｔｒｏｌ  ｆｏｒ  Ｄａｔａ  Ｃｏｍｍｕｎｉｃａｔｉｏｎｓ」という名称の、２０１５年８月１４日に出願した米国仮特許出願第６２／２０５，５３３号の優先権を主張するものであり、この開示は、参照により本明細書に組み込まれる。
【０００２】
特定の実施形態は、一般的に、ワイヤレス通信に関し、より詳細には、データ通信用アプリケーション別輻輳制御（ＡＣＤＣ）の制御情報を提供するシステムおよび方法に関する。
【背景技術】
【０００３】
災害状況の中での通信をサポートするための必須のサービスがある。この状況の中での極めて輻輳したネットワーク環境を緩和する支援を行うために、ユーザ機器（ＵＥ）と称される場合もあるワイヤレスデバイスの特定のオペレータ規定のアプリケーションによる新しいアクセスの試みを許可するおよび／または防止するための機構を有することが、有益である。かかる機構は地域特有の規則の対象とすることができる。
【０００４】
アプリケーション別輻輳制御（ＡＣＤＣ）に対してある特定のサービス要件がある場合がある。例えば、ホームネットワークがワイヤレスデバイスを少なくとも４つのＡＣＤＣカテゴリで構成することができるものとするサービス要件があり得る。そして、オペレータ特定のアプリケーションはそれぞれ、ＡＣＤＣカテゴリのうちの選択された１つに関連付け可能である。別のサービス要件では、サービングネットワークがＲＡＮの１つまたは複数の領域において制御情報をブロードキャストすることができると定めてよい。そして、ワイヤレスデバイスは、このブロードキャストする規制情報、および、ワイヤレスデバイスにおけるＡＣＤＣカテゴリの構成に基づいて、ある特定のアプリケーションに対するアクセスの試みが許可されるか否かを制御できる。
【０００５】
ＡＣＤＣカテゴリは、使用の制限が最も少ないと考えられるアプリケーションに最上位のＡＣＤＣカテゴリがアサインされるように規定される。最上位のカテゴリにおけるアプリケーションよりも使用の制限が多いと考えられるアプリケーションには、次に上位のＡＣＤＣカテゴリがアサインされ、以下同様にアサインされる。使用制限が最も多いと考えられるアプリケーションは、最下位のＡＣＤＣカテゴリがアサインされるか、何のカテゴリもアサインされない。
【０００６】
従来、アクセス規制スキームは、ＬＴＥアクセスクラス規制（ＡＣＢ）におけるようなＢａｒｒｉｎｇＦａｃｔｏｒおよびＢａｒｒｉｎｇＴｉｍｅ、またはユニバーサル地上無線アクセスネットワーク（ＵＴＲＡＮ）ＡＣＢにおけるような、０〜９のＵＥアクセスクラスごとの規制／非規制フラグのどちらかに基づく。それぞれのワイヤレスデバイスは、０〜９のアクセスクラス（ＡＣ）に関連付けられる。ＡＣは、それぞれのＡＣの母集団が等しいように、それぞれのワイヤレスデバイスにランダムに割り当てられるものとする。
【０００７】
ＬＴＥのＡＣＢにおいて、ワイヤレスデバイスによるＲＡＮへのアクセスは、ａｃ−ＢａｒｒｉｎｇＦａｃｔｏｒおよびａｃ−ＢａｒｒｉｎｇＴｉｍｅによって制御される。ＵＥのＡＣにかかわらず、ワイヤレスデバイスは、ネットワークにアクセスするために、閾値ａｃ−ＢａｒｒｉｎｇＦａｃｔｏｒより低い乱数を生成しなければならない。この機構がＡＣＤＣにかつそれぞれのカテゴリに使用される場合、オーバーヘッドのＳＩＢメッセージサイズが増大する場合がある。ＵＴＲＡＮのＡＣＢにおいて、それぞれのＵＥのＡＣには、規制／非規制フラグがアサインされる。
【０００８】
大多数のＡＣＤＣカテゴリがある場合があることは、認識されたい。例えば、将来的には、ＡＣＤＣカテゴリが２５６以上になり得ることが予期されている。多数のＡＣＤＣカテゴリに対する規制情報の提供は、かなりのＳＩＢメッセージのオーバーヘッドをもたらし、このことはＡＣＤＣサービス要件を満たさない恐れがある。加えて、規制情報は、ＲＡＮ共有シナリオにおいてＰＬＭＮごとにブロードキャストされる場合がある。よって、単一のｅＮＢに対して同時にアクティブになるＰＬＭＮが６ある場合、規制情報は６回ブロードキャストされる場合がある。
【発明の概要】
【０００９】
いくつかの実施形態によると、システムおよび方法は、データ通信用アプリケーション別輻輳制御（ＡＣＤＣ）の制御情報を提供する。具体的には、アクセス規制スキームはＡＣＤＣサービス要件により良く適合させるために最適化されてよい。
【００１０】
ある特定の実施形態によると、ネットワークノードによって、データ通信用アプリケーション別輻輳制御（ＡＣＤＣ）のアクセス制御情報を提供するための方法が提供される。方法は、複数のＡＣＤＣカテゴリのそれぞれ１つに対する指示、および複数のアクセスクラスに対するビットマップのうちの少なくとも１つを含むＡＣＤＣ規制情報を判断することを含む。ネットワークノードはＡＣＤＣ規制情報をワイヤレスデバイスに送信する。
【００１１】
ある特定の実施形態によると、データ通信用アプリケーション別輻輳制御（ＡＣＤＣ）のアクセス制御情報を提供するネットワークノードは、命令を記憶するメモリと、該命令を実行するように動作可能であるプロセッサであって、該プロセッサにＡＣＤＣ規制情報を判断させる、プロセッサとを含む。ＡＣＤＣ規制情報は、複数のＡＣＤＣカテゴリのそれぞれ１つに対する指示、および複数のアクセスクラスに対するビットマップのうちの少なくとも１つを含む。ＡＣＤＣ規制情報はワイヤレスデバイスに送信される。
【００１２】
ある特定の実施形態によると、ワイヤレスデバイスによって、データ通信用アプリケーション別輻輳制御（ＡＣＤＣ）に基づいてネットワークへのアクセスを判断するための方法が提供される。方法は、ＡＣＤＣ規制情報をネットワークノードから受信することを含む。ＡＣＤＣ規制情報は、複数のＡＣＤＣカテゴリのそれぞれ１つに対する指示、および複数のアクセスクラスに対するビットマップのうちの少なくとも１つを含む。ネットワークとの第１の接続を開始するワイヤレスデバイスのアプリケーションに応答して、ワイヤレスデバイスは、ネットワークへのアクセスが規制されているかを、アプリケーションに関連付けられる特定のＡＣＤＣカテゴリに対する特定の指示に基づいて判断する。ネットワークとの第２の接続を開始するワイヤレスデバイスのアプリケーションに応答して、ワイヤレスデバイスは、ネットワークへのアクセスが、アプリケーションに関連付けられる特定のＡＣＤＣカテゴリに対して、規制から非規制に変更になっているかを判断する。複数のアクセスクラスに対するビットマップ、およびワイヤレスデバイスに関連付けられるアクセスクラスに基づいて、ワイヤレスデバイスは、ワイヤレスデバイスによるネットワークへのアクセスがブロックされているまたは許可されているかどうかを判断する。
【００１３】
ある特定の実施形態によると、ワイヤレスデバイスは、データ通信用アプリケーション別輻輳制御（ＡＣＤＣ）に基づいてネットワークにアクセスするための命令を記憶するメモリと、該命令を実行するように動作可能であるプロセッサであって、該プロセッサにＡＣＤＣ規制情報をネットワークノードから受信させるプロセッサとを含む。ＡＣＤＣ規制情報は、複数のＡＣＤＣカテゴリのそれぞれ１つに対する指示、および複数のアクセスクラスに対するビットマップのうちの少なくとも１つを含む。ネットワークとの第１の接続を開始するワイヤレスデバイスのアプリケーションに応答して、プロセッサは、ネットワークへのアクセスが規制されているかを、アプリケーションに関連付けられる特定のＡＣＤＣカテゴリに対する特定の指示に基づいて判断する。ネットワークとの第２の接続を開始するワイヤレスデバイスのアプリケーションに応答して、プロセッサは、ネットワークへのアクセスが、アプリケーションに関連付けられる特定のＡＣＤＣカテゴリに対して、規制から非規制に変更になっているかを判断する。複数のアクセスクラスに対するビットマップ、およびワイヤレスデバイスに関連付けられるアクセスクラスに基づいて、プロセッサは、ワイヤレスデバイスによるネットワークへのアクセスがブロックされているまたは許可されているかどうかを判断する。
【００１４】
本開示のいくつかの実施形態は、１つまたは複数の技術的利点を提供することができる。例えば、ある特定の実施形態では、システム情報ブロック（ＳＩＢ）シグナリングオーバーヘッドは低減可能である。別の利点は、ＡＣＤＣサービス要件を満たすことができることとすることができる。さらに別の利点は、アクセス規制スキームがＥ−ＵＴＲＡＮに限定され得ず、ＵＴＲＡＮにも適用可能であることとすることができる。ある特定の実施形態では、サービングネットワークノードは、アクセス制御の他の形態でＡＣＤＣを同時に指示可能とすることができる。さらに別の利点は、ＡＣＤＣおよびアクセス制御ブロック（ＡＣＢ）の制御両方が指示される時、ＡＣＤＣがＡＣＢをオーバーライドするものとすることであってよい。同じアクセスネットワークを共有する複数のコアネットワークの場合、アクセスネットワークは異なるコアネットワークに対してＡＣＤＣを個々に適用することができるものとする。共有されるＲＡＮにおける輻輳の軽減のために、規制レートは参加するオペレータ全てに対して等しく設定されてよい。
【００１５】
いくつかの実施形態は、これらの利点のいくつかから、どれからでもなく、または全てから有益であってよい。他の技術的利点は当業者には容易に確認できる。
【００１６】
本発明、ならびにこの特徴および利点をさらに詳しく理解するために、ここで、添付の図面と併せて下記の説明を参照する。
【図面の簡単な説明】
【００１７】
【図１】ある特定の実施形態に従って、データ通信用アプリケーション別輻輳制御（ＡＣＤＣ）のアクセス制御情報を提供するネットワークの例を示す図である。
【図２】ある特定の実施形態に従って、ＡＣＤＣのアクセス制御情報を提供するネットワークノードの例を示す図である。
【図３】ある特定の実施形態に従って、ＡＣＤＣに基づいてネットワークにアクセスするワイヤレスデバイスの例を示す図である。
【図４】ある特定の実施形態に従って、ＡＣＤＣ制御情報を送信するための例示のメッセージシーケンスチャートを示す図である。
【図５】ある特定の実施形態に従って、ＡＣＤＣのアクセス制御情報を提供するための方法の例を示す図である。
【図６】ある特定の実施形態に従って、ＡＣＤＣのアクセス制御情報を提供する仮想コンピューティングデバイスを示す図である。
【図７】ある特定の実施形態に従って、ＡＣＤＣに基づいてネットワークにアクセスするための方法の例を示す図である。
【図８】ある特定の実施形態に従って、ＡＣＤＣに基づいてネットワークにアクセスする仮想コンピューティングデバイスを示す図である。
【図９】ある特定の実施形態に従って、無線ネットワークコントローラの例を示す図である。
【発明を実施するための形態】
【００１８】
データ通信用アプリケーション別輻輳制御（ＡＣＤＣ）の制御情報を提供するためのシステムおよび方法が開示される。ある特定の実施形態では、アクセス規制スキームは、ＡＣＤＣサービス要件により良く適合させるために最適化されてよい。具体的には、ある特定の実施形態では、規制情報はそれぞれのＡＣＤＣカテゴリに提供されてよい。例えば、単一ビットはそれぞれのＡＣＤＣカテゴリに対して規制／非規制であると規定されてよい。ある特定の実施形態は、規制がオフにされ、かつワイヤレスデバイスがネットワークに再びアクセスできる時、アクセス負荷を平滑化することもできる。例えば、ある特定の実施形態では、アクセスクラスビットマップはブロードキャストされてよい。アクセスクラスビットマップはＡＣＤＣカテゴリごとのものであってよい、または、特定の実施形態では、ＡＣＤＣカテゴリの全てに共通であってよい。ある特定の実施形態は、規制されている最上位のＡＣＤＣカテゴリに対してのみＡＣＤＣ規制情報がシグナリングされるようなさらなる最適化を提供することができる。ワイヤレスデバイスはまた、最上位のシグナリングされたＡＣＤＣカテゴリより低いＡＣＤＣカテゴリが同様に暗黙的に規制されると想定できる。
【００１９】
図面の図１〜９において特定の実施形態が説明され、同様の数字はさまざまな図面の同様のおよび対応する部分に使用される。図１は、ある特定の実施形態に従って、ＡＣＤＣのアクセス制御情報を提供するためのネットワーク１００の実施形態を示すブロック図である。ネットワーク１００は、区別なくワイヤレスデバイス１１０またはＵＥ１１０と称される場合がある１つまたは複数のワイヤレスデバイス１１０Ａ〜Ｃ、および、区別なくネットワークノード１１５またはｅＮｏｄｅＢ１１５と称される場合があるネットワークノード１１５Ａ〜Ｃを含む。ワイヤレスデバイス１１０は、ワイヤレスインターフェース上でネットワークノード１１５と通信できる。例えば、ワイヤレスデバイス１１０Ａは、ワイヤレス信号をネットワークノード１１５Ａ〜Ｃの１つまたは複数に送信する、および／またはワイヤレス信号をネットワークノード１１５Ａ〜Ｃの１つまたは複数から受信することができる。ワイヤレス信号は、音声トラヒック、データトラヒック、制御信号、および／または任意の他の適した情報を包含することができる。いくつかの実施形態では、ネットワークノード１１５に関連付けられたワイヤレス信号カバレッジの領域は、セルと称される場合がある。いくつかの実施形態では、ワイヤレスデバイス１１０はＤ２Ｄ能力を有してよい。よって、ワイヤレスデバイス１１０は、別のワイヤレスデバイス１１０に対して直接信号を受信および／または信号を送信可能としてよい。例えば、ワイヤレスデバイス１１０Ａは、ワイヤレスデバイス１１０Ｂに対して信号を受信および／または信号を送信可能としてよい。
【００２０】
ある特定の実施形態では、ネットワークノード１１５は、（図１に描かれない）無線ネットワークコントローラとインターフェース接続できる。無線ネットワークコントローラは、ネットワークノード１１５を制御することができ、かつ、ある特定の無線リソース管理機能、モビリティ管理機能、および／または他の適した機能を提供できる。ある特定の実施形態では、無線ネットワークコントローラの機能はネットワークノード１１５に含まれてよい。無線ネットワークコントローラはコアネットワークノードとインターフェース接続できる。ある特定の実施形態は、無線ネットワークコントローラは相互接続ネットワークを介してコアネットワークノードとインターフェース接続できる。相互接続ネットワークは、オーディオ、ビデオ、信号、データ、メッセージ、または、前述の任意の組み合わせに言及することができる。相互接続ネットワークは、公衆交換電話網（ＰＳＴＮ）、公衆もしくはプライベートデータネットワーク、ローカルエリアネットワーク（ＬＡＮ）、メトロポリタンエリアネットワーク（ＭＡＮ）、ワイドエリアネットワーク（ＷＡＮ）、インターネット、有線ネットワーク、またはワイヤレスネットワークなどのローカル、地域的、もしくはグローバル通信、またはコンピュータネットワーク、企業イントラネット、あるいは、これらの組み合わせを含む任意の他の適した通信リンクの全てまたは一部分を含むことができる。
【００２１】
いくつかの実施形態では、コアネットワークノードは、ワイヤレスデバイス１１０に対する、通信セッションの確立、およびさまざまな他の機能性を管理することができる。ワイヤレスデバイス１１０は非アクセス層を使用してコアネットワークノードとある特定の信号を交換することができる。非アクセス層シグナリングでは、ワイヤレスデバイス１１０とコアネットワークノードとの間の信号は無線アクセスネットワークを透過的に通過可能である。ある特定の実施形態では、ネットワークノード１１５はノード間インターフェース上で１つまたは複数のネットワークノードとインターフェース接続できる。例えば、ネットワークノード１１５Ａおよび１１５ＢはＸ２インターフェース上でインターフェース接続できる。
【００２２】
上述されるように、ネットワーク１００の実施形態の例は、１つまたは複数のワイヤレスデバイス１１０と、ワイヤレスデバイス１１０と（直接または間接的に）通信可能である１つまたは複数の異なるタイプのネットワークノードとを含むことができる。ワイヤレスデバイス１１０は、セルラーまたはモバイル通信システムにおいて、ノードおよび／または別のワイヤレスデバイスと通信する任意のタイプのワイヤレスデバイスに言及することができる。ワイヤレスデバイス１１０の例は、携帯電話、スマートフォン、ＰＤＡ（携帯情報端末）、ポータブルコンピュータ（例えば、ラップトップ、タブレット）、センサ、モデム、マシン型通信（ＭＴＣ）デバイス／マシン間（Ｍ２Ｍ）デバイス、ラップトップ埋め込み機器（ＬＥＥ）、ラップトップ搭載機器（ＬＭＥ）、ＵＳＢドングル、Ｄ２Ｄ対応デバイス、または、ワイヤレス通信を提供可能である別のデバイスを含む。ワイヤレスデバイス１１０は、いくつかの実施形態において、ＵＥ、ステーション（ＳＴＡ）、デバイス、または端末と称される場合もある。また、いくつかの実施形態では、「無線ネットワークノード」（または単に「ネットワークノード」）という総称的な専門用語が使用される。この無線ネットワークノードは、Ｎｏｄｅ  Ｂ、基地局（ＢＳ）、ＭＳＲ  ＢＳなどのマルチスタンダード無線（ＭＳＲ）の無線ノード、ｅＮｏｄｅ  Ｂ、ネットワークコントローラ、無線ネットワークコントローラ（ＲＮＣ）、基地局コントローラ（ＢＳＣ）、中継器、ドナーノード制御中継器、ベーストランシーバ基地局（ＢＴＳ）、アクセスポイント（ＡＰ）、送信ポイント、送信ノード、ＲＲＵ、ＲＲＨ、分散アンテナシステム（ＤＡＳ）におけるノード、コアネットワークノード（例えば、ＭＳＣ、ＭＭＥなど）、Ｏ＆Ｍ、ＯＳＳ、ＳＯＮ、測位ノード（例えば、Ｅ−ＳＭＬＣ）、ＭＤＴ、または任意の適したネットワークノードを含むことができる、任意の種類のネットワークノードとすることができる。ネットワークノード１１５、ワイヤレスデバイス１１０、および（無線ネットワークコントローラまたはコアネットワークノードなどの）他のネットワークノードの実施形態の例は、図２、図３、および図９に関してそれぞれより詳細に説明される。
【００２３】
図１は、ネットワーク１００の特定の配置構成を示すが、本開示では、本明細書に説明されるさまざまな実施形態が任意の適した構成を有するさまざまなネットワークに適用可能であると意図される。例えば、ネットワーク１００は、任意の適した数のワイヤレスデバイス１１０およびネットワークノード１１５のみならず、ワイヤレスデバイス間、またはワイヤレスデバイスと別の通信デバイス（固定電話など）との間の通信をサポートするのに適したいずれの追加の要素も含むことができる。また、ある特定の実施形態はＬｏｎｇ−Ｔｅｒｍ  Ｅｖｏｌｕｔｉｏｎ（ＬＴＥ）ネットワークで実装されるとして説明可能であるが、該実施形態は、任意の適した通信標準をサポートし、かつ、任意の適したコンポーネントを使用する任意の適切なタイプの電気通信システムにおいて実装可能であり、ワイヤレスデバイスが信号（例えばデータ）を受信するおよび／または送信するいずれの無線アクセス技術（ＲＡＴ）またはマルチＲＡＴシステムにも適用可能である。例えば、本明細書に説明されるさまざまな実施形態は、ＬＴＥ、ＬＴＥ−Ａｄｖａｎｃｅｄ、ＬＴＥ−Ｕ、ＵＭＴＳ、ＨＳＰＡ、ＧＳＭ，ｃｄｍａ２０００、ＷｉＭａｘ、ＷｉＦｉ、別の適した無線アクセス技術、または、１つまたは複数の無線アクセス技術の任意の適した組み合わせに適用可能とすることができる。ある特定の実施形態はダウンリンクのワイヤレス送信の文脈の中で説明可能であるが、本開示では、さまざまな実施形態がアップリンクで等しく適用可能であり、その逆もまた同様であると考えられる。
【００２４】
本明細書に説明されるＡＣＤＣについてアクセス制御情報を提供するための技法は、ライセンス免除チャネルにおいてＬＡＡ  ＬＴＥおよびスタンドアロンＬＴＥ動作両方に適用可能である。説明した技法は、一般的に、ネットワークノード１１５およびワイヤレスデバイス１１０両方からの送信に適用可能である。
【００２５】
図２は、ある特定の実施形態に従って、ＡＣＤＣに基づいてネットワークへのアクセスを提供する無線ネットワークノード１１５を示すブロック図である。上述されるように、ネットワークノード１１５は、ワイヤレスデバイスおよび／または別のネットワークノードと通信する任意のタイプの無線ネットワークノードまたは任意のネットワークノードであってよい。ネットワークノード１１５の例は上に示されている。
【００２６】
ネットワークノード１１５は、ネットワーク１００全体を通して、同種の配置、異種の配置、または混合した配置として配置されてよい。同種の配置は、一般的に、同じ（または同様の）タイプの無線ネットワークノード１１５、ならびに／または同様のカバレッジおよびセルサイズおよびサイト間距離で構成される配置について説明できる。異種の配置は、一般的に、異なるセルサイズ、送信電力、容量、およびサイト間距離を有する、さまざまなタイプの無線ネットワークノード１１５を使用する配置について説明できる。例えば、異種の配置は、マクロセルレイアウト全体にわたって設置される複数の低電力ノードを含むことができる。混合した配置は、同種の部分と異種の部分との混合を含んでよい。
【００２７】
ネットワークノード１１５は、トランシーバ２１０、プロセッサ２２０、メモリ２３０、およびネットワークインターフェース２４０の１つまたは複数を含むことができる。いくつかの実施形態では、トランシーバ２１０は、（例えば、アンテナを介して）無線デバイス１１０に対する無線信号の送信および無線信号の受信を容易にし、プロセッサ２２０は、無線ネットワークノード１１５によって提供される上述の機能性のいくつかまたは全てを提供するための命令を実行し、メモリ２３０はプロセッサ２２０によって実行される命令を記憶し、ネットワークインターフェース２４０は、ゲートウェイ、スイッチ、ルータ、インターネット、公衆交換電話網（ＰＳＴＮ）、コアネットワークノード１３０、無線ネットワークコントローラ１２０などのバックエンドネットワークコンポーネントに信号を通信する。
【００２８】
ある特定の実施形態では、ネットワークノード１１５は、マルチアンテナ技法を使用可能としてよく、複数のアンテナを装備し、かつＭＩＭＯ技法をサポートすることを可能としてよい。１つまたは複数のアンテナは制御可能な偏波を有することができる。換言すれば、それぞれの要素は、種々の偏波（例えば、交差偏波におけるような９０度の分離）による２つの共同設置された部分要素を有することができるため、ビーム形成重量の種々のセットは発した電波に異なる偏波を与えることになる。
【００２９】
プロセッサ２２０は、説明したネットワークノード１１５の機能のいくつかまたは全てを果たすために、命令を実行しかつデータを操作するための１つまたは複数のモジュールにおいて実装されるハードウェアおよびソフトウェアの任意の適した組み合わせを含んでよい。いくつかの実施形態では、プロセッサ２２０は、例えば、１つもしくは複数のコンピュータ、１つもしくは複数の中央処理装置（ＣＰＵ）、１つもしくは複数のマイクロプロセッサ、１つもしくは複数のアプリケーション、および／または他のロジックを含むことができる。
【００３０】
メモリ２３０は、一般的に、コンピュータプログラム、ソフトウェア、ロジック、規則、アルゴリズム、コード、表などの１つまたは複数を含むアプリケーションなどの命令、および／またはプロセッサによって実行可能な他の命令を記憶するように動作可能である。メモリ２３０の例は、コンピュータメモリ（例えばランダムアクセスメモリ（ＲＡＭ）または読み取り専用メモリ（ＲＯＭ））、大容量記憶媒体（例えば、ハードディスク）、取り外し可能記憶媒体（例えば、コンパクトディスク（ＣＤ）またはデジタルビデオディスク（ＤＶＤ））、ならびに／または、情報を記憶する任意の他の揮発性もしくは不揮発性、非一時的コンピュータ可読および／もしくはコンピュータ実行可能メモリデバイスを含む。
【００３１】
いくつかの実施形態では、ネットワークインターフェース２４０は、プロセッサ２２０に通信可能に結合され、かつ、無線ネットワークノード１１５に対する入力を受信する、ネットワークノード１１５からの出力を送る、入力、出力、またはこの両方の適した処理を行う、他のデバイスに通信する、または、前述の任意の組み合わせを行うように動作可能である任意の適したデバイスに言及することができる。ネットワークインターフェース２４０は、適切なハードウェア（例えば、ポート、モデム、ネットワークインターフェースカードなど）、および、ネットワークを通して通信するための、プロトコル変換およびデータ処理能力を含むソフトウェアを含むことができる。
【００３２】
ネットワークノード１１５の他の実施形態は、図２に示されるもの以外に、（上述されるソリューションをサポートするために必要な任意の機能性を含む）上述される機能性および／または任意の追加の機能性のいずれかを含む、無線ネットワークノードの機能性のある特定の態様を提供することを担う場合がある、追加のコンポーネントを含むことができる。さまざまな異なるタイプの無線ネットワークノードは、同じ物理ハードウェアを有するが（例えばプログラミングによって）異なる無線アクセス技術をサポートするように構成されるコンポーネントを含むことができる、または、異なる物理コンポーネントを部分的にまたは全て表すことができる。
【００３３】
図３は、ある特定の実施形態に従って、ＡＣＤＣに基づいてネットワークにアクセスするワイヤレスデバイス１１０のある特定の実施形態を示すブロック図である。描かれるように、ワイヤレスデバイス１１０Ａ〜Ｃは、トランシーバ３１０、プロセッサ３２０、およびメモリ３３０を含む。いくつかの実施形態では、トランシーバ３１０は、（例えば、アンテナを介して）無線ネットワークノード１１５に対するワイヤレス信号の送信およびワイヤレス信号の受信を容易にし、プロセッサ３２０は、ワイヤレスデバイス１１０によって提供される上述される機能性のいくつかまたは全てを提供するための命令を実行し、メモリ３３０は、プロセッサ３２０によって実行される命令を記憶する。ワイヤレスデバイス１１０の例は図１に関して上で示されている。
【００３４】
プロセッサ３２０は、説明されるワイヤレスデバイス１１０の機能のいくつかまたは全てを果たすように命令を実行しかつデータを操作するための１つまたは複数のモジュールに実装されるハードウェアおよびソフトウェアの任意の適した組み合わせを含むことができる。いくつかの実施形態では、プロセッサ３２０は、例えば、１つもしくは複数のコンピュータ、１つもしくは複数の中央処理装置（ＣＰＵ）、１つもしくは複数のマイクロプロセッサ、１つもしくは複数のアプリケーション、および／または他のロジックを含むことができる。
【００３５】
メモリ３３０は、一般的に、コンピュータプログラム、ソフトウェア、ロジック、規則、アルゴリズム、コード、表などの１つまたは複数を含むアプリケーションなどの命令、および／または、プロセッサによって実行可能である命令を記憶するように動作可能である。メモリ３３０の例は、コンピュータメモリ（例えば、ランダムアクセスメモリ（ＲＡＭ）または読み取り専用メモリ（ＲＯＭ））、大容量記憶媒体（例えば、ハードディスク）、取り外し可能記憶媒体（例えば、コンパクトディスク（ＣＤ）またはデジタルビデオディスク（ＤＶＤ））、ならびに／または、情報を記憶する任意の他の揮発性もしくは不揮発性、非一時的コンピュータ可読および／もしくはコンピュータ実行可能メモリデバイスを含む。
【００３６】
ワイヤレスデバイス１１０の他の実施形態は、図３に示されるもの以外に、（上述されるソリューションをサポートするために必要な任意の機能性を含む）上述される機能性および／または任意の追加の機能性のいずれかを含む、ワイヤレスデバイスの機能性のある特定の態様を提供することを担う場合がある、追加のコンポーネントを含むことができる。
【００３７】
図４は、ある特定の実施形態に従って、ＡＣＤＣ制御情報を送信するための例示のメッセージシーケンスチャート４００を示す。示されるように、ＡＣＤＣ規制情報は、ワイヤレスデバイス１１０によるネットワーク１００へのアクセスを防止するために、ネットワークノード１１５からワイヤレスデバイス１１０に提供可能である。ＡＣＤＣ規制情報は、リストにおけるそれぞれの地上波公共移動通信ネットワーク（ＰＬＭＮ）についての規制情報を含むＡＣＤＣシステム情報ブロック（ＳＩＢ）４０２を含むことができる。ある特定の実施形態では、ＡＣＤＣ  ＳＩＢは、ＡＣＤＣカテゴリの規制情報、および、規制情報がローミング中のワイヤレスデバイス１１０に該当するか否かの指示を含むことができる。
【００３８】
ある特定の実施形態によると、ＵＴＲＡＮ実装形態は、ＵＴＲＡＮ  ＡＣＢにおいて使用されるような規制／非規制フラグを提供する既存の機構を再利用することができる。以下の表１はかかる実装形態である。
0006578434.tif 000002
この実施形態では、ワイヤレスデバイス１１０は、ＳＩＢが規制情報の変更によって変更される時通知可能である。これによって、ＳＩＢ更新通知およびＳＩＢ読み取りが増大することになる。ＵＴＲＡＮ  ＡＣＢ実装形態において、それぞれのＡＣクラスは個々に規制／非規制となる。
【００３９】
ある特定の他の実施形態によると、ＵＴＲＡＮ実装形態は、ＵＴＲＡＮアクセスグループ（ＡＧ）ベースのアクセス制御規制におけるような既存の機構を再利用できる。表２はＵＴＲＡＮ  ＡＧベースのＡＣＢの例示の実装形態である。
0006578434.tif 000003
【００４０】
このオプションでは、ＳＩＢのワイヤレスデバイス１１０Ａ〜Ｃによる読み取りは、有効期限ファクタによって制御される。規制情報の変更についてのＳＩＢ通知は必要ではない。
【００４１】
ある特定の実施形態では、送信されたＡＣＤＣ規制情報４０２は、複数のＡＣＤＣカテゴリに対する指示、および複数のアクセスクラスに対するビットマップを含んでよい。その後、ワイヤレスデバイスのアプリケーションがネットワーク１００との第１の接続を開始する時、ワイヤレスデバイス１１０は、ネットワークへのアクセスが規制されているかを、該指示、および、アプリケーションに関連付けられた特定のＡＣＤＣカテゴリに基づいて判断することができる。ネットワークとの第２の接続を開始するワイヤレスデバイスのアプリケーションに応答して、ワイヤレスデバイス１１０は、ネットワークへのアクセスが規制から非規制に変更されているかを判断できる。複数のアクセスクラスに対するビットマップおよびワイヤレスデバイスに関連付けられたアクセスクラスに基づいて、ワイヤレスデバイス１１０は次いで、該アプリケーションに対してネットワークへのアクセスをブロックするまたは許可するかどうかを判断することができる。
【００４２】
ある特定の実施形態では、ネットワークノード１１５Ａ〜Ｃまたは別のネットワークノードは、単一のオン／オフ指示によってＡＣＤＣ規制情報を指示する。例えば、ビットストリングはそれぞれのビットが規定されたグループに対応するように規定されてよい。よって、１つのビットはＡＣＤＣカテゴリごとに規定されてよい。具体的には、特定の実施形態では、１つのビットに対する第１の値は、特定のＡＣＤＣカテゴリが規制されていることをワイヤレスデバイス１１０に指示することができ、１つのビットに対する第２の値は、特定のＡＣＤＣカテゴリが規制されていないことをワイヤレスデバイス１１０に指示することができる。例えば、「１」の値はカテゴリが規制されていることを意味することができるのに対し、「０」の値はカテゴリが規制されていないことを意味することができる。ＡＣＤＣ制御に対してこの方法を使用して、レガシーワイヤレスデバイス１１０Ａ〜Ｃに与える影響を少なくすることができるが、これは、ＡＣＤＣ規制情報の変更についてＳＩＢ通知が必要とされなくなるからである。加えて、それぞれのＡＣＤＣカテゴリは個々に規制または非規制とすることができる。
【００４３】
ある特定の他の実施形態では、ＡＣＤＣ規制情報は、規制されている最上位のＡＣＤＣカテゴリの情報を含む。ネットワーク１００へのアクセスが規制から非規制に変更になっているかどうかを判断する時、ワイヤレスデバイス１１０は、アクセスを求めるアプリケーションが属する特定のＡＣＤＣカテゴリが、規制されている最上位のＡＣＤＣカテゴリより上位であるかどうかを判断することができる。
【００４４】
ある特定の実施形態では、ビットマップはＡＣＤＣ規制情報の指示と共に送信されてよい。他の実施形態では、ビットマップおよびＡＣＤＣ規制情報の指示は、周期的にかつ交互送信で送信されてよい。いずれの場合でも、ビットマップは複数のビットを含むことができる。複数のビットのそれぞれは、複数のアクセスクラスのうちの関連付けられた１つが規制されているかどうかを指示することができる。特定の実施形態では、ビットマップはＡＣＤＣカテゴリに共通であるアクセスクラス規制情報を含むことができる。
【００４５】
ある特定の他の実施形態によると、ＬＴＥアプローチは規制ファクタおよび規制時間を使用することによって採用されてよい。例示のＬＴＥ  ＡＣＢ実装形態が提供される。
0006578434.tif 000004
この実装形態の例では、ワイヤレスデバイス１１０によって引き出された乱数がａｃ−ＢａｒｒｉｎｇＦａｃｔｏｒより低い場合、アクセスは許可され、他の状況ではアクセスは規制される。値は、［０、１）の範囲：ｐ００＝０、ｐ０５＝０．０５、ｐ１０＝０．１０、…、ｐ９５＝０．９５で解釈される。ｐ００以外の値は、対応するａｃ−ＢａｒｒｉｎｇＦｏｒＳｐｅｃｉａｌＡＣの全てのビットが０に設定される場合のみ設定可能である。ａｃ−ＢａｒｒｉｎｇＴｉｍｅはアクセス規制時間値を秒で指示することができる。ａｃ−ＢａｒｒｉｎｇＦｏｒＳｐｅｃｉａｌＡＣはＡＣ１１〜１５に対して規制するアクセスクラスを特定することができる。先頭／左端のビットはＡＣ１１に対するものであり、第２のビットはＡＣ１２に対するものであり、以下同様に続く。このオプションでは、ＲＡＮにアクセスするワイヤレスデバイス１１０Ａ〜Ｃはａｃ−ＢａｒｒｉｎｇＦａｃｔｏｒおよびａｃ−ＢａｒｒｉｎｇＴｉｍｅによって制御可能である。ワイヤレスデバイス１１０Ａ〜Ｃはアクセスするために閾値ａｃＢａｒｒｉｎｇＦａｃｔｏｒより低い乱数を生成しなければならない。ＬＴＥ実装形態では、ＡＣクラス０〜９は１つのグループで扱われる。特定の実施形態では、それぞれのＡＣＤＣカテゴリは自身の規制ファクタおよび規制時間を有することができる。しかしながら、このような実装形態はＳＩＢメッセージサイズを増大させる。
【００４６】
ＡＣＤＣサービス要件は、たいていの場合、ワイヤレスデバイスのカテゴリが規制される場合、そのカテゴリにおける全てのワイヤレスデバイス１１０Ａ〜Ｃは規制されるものとすると定めている。実際、カテゴリが規制されている時、これの下にあるＡＣＤＣカテゴリも規制されることになる可能性が最も高い。まれに、カテゴリにおけるワイヤレスデバイス１１０のわずかまたは一部のみが規制されることになる状況がある。よって、特定の実施形態では、カテゴリの数によって十分な粒度が与えられると想定できる。ブロードキャスト情報にはカテゴリごとの単一ビット（規制／非規制）で十分である。
【００４７】
ある特定の実施形態では、アイドル状態のワイヤレスデバイス１１０Ａ〜Ｃによって読み取られる既存のＳＩＢ（すなわち、ＳＩＢ２またはＳＩＢ３）は拡張可能である。他の実施形態では、新しいＳＩＢはＡＣＤＣアクセス制御に対して導入されてよい。新しいＳＩＢの実施形態の実装形態の一例は以下の表３に示されている。
0006578434.tif 000005
【００４８】
Ｅ−ＵＴＲＡＮ実装形態も提供可能である。例えば、ある特定の実施形態では、ＡＣＤＣカテゴリの数は１６に限定されてよく、コアネットワークおよび端末作業グループ１はかかる限定について知らされてよい。ＬＴＥでは、基本的に、アクセス規制スキームについての２つの異なるソリューション：Ｒｅｌ−８  ＡＣＢ機構およびＲｅｌ−１１  ＥＡＢがある。Ｒｅｌ−８  ＡＣＢは、規制の見込みおよびタイマに基づいている。例えば、ワイヤレスデバイス１１０は乱数を引き出すことができ、これが閾値を下回る場合、ワイヤレスデバイス１１０はランダムに選択された時間周期にわたって規制される。タイマがランダムに選択された時間周期の期限満了を特定する時、ワイヤレスデバイス１１０は再び規制テストを試すことができる。対照的に、Ｒｅｌ−１１  ＥＡＢ機構は、上述されるＵＴＲＡＮ  ＡＣＢと同様のビットマップに基づいている。それぞれのアクセスクラス（ＡＣ０〜９）に対して、ワイヤレスデバイス１１０Ａ〜Ｃがネットワーク１１０にアクセスできるか否かを指示するための明示的なビットがあってよい。２つの説明した機構は２つの例に過ぎない。アクセス規制を提供する任意の適した機構が使用可能である。
【００４９】
ある特定の実施形態では、ワイヤレスデバイスのカテゴリが規制される場合、そのカテゴリにおける全てのワイヤレスデバイス１１０も規制されることになる。まれに、カテゴリにおけるワイヤレスデバイス１１０のわずかまたは一部のみが規制されるとする状況がある。カテゴリの数によって十分な粒度が与えられる場合がある。ある特定の他の実施形態では、ブロードキャスト情報には、カテゴリごとの単一ビットのオン／オフの指示で十分である場合がある。しかしながら、ある特定のカテゴリが再び許可される時、オーバーロード状況が生じるという懸念があり得る。これについて、いくつかのより精細な粒度が提供可能である。最も簡易なやり方は、１０のビットのビットマップがブロードキャストされる、ＥＡＢ規制パラメータを再利用することである。これによって、ネットワークは、ワイヤレスデバイス１１０Ａ〜Ｃの一部のみが制御されるようにアクセス可能とすることができる。
【００５０】
ある特定の実施形態では、１つのビット指示およびビットマップは、規制がオフになる時にシグナリング負荷を低減しかつアクセス負荷を平滑化するための代案としてシグナリングできる。具体的には、特定の実施形態では、ＡＳＮ．１におけるＣＨＯＩＣＥ構造はこのために使用可能である。かかるシグナリングの一例は以下に提供される。
0006578434.tif 000006
この構造のオーバーヘッドは典型的にはカテゴリごとに１ビットのみとすることができる。規制情報にあるように、（ランダムなタイマでない）明示的なビットのみがある。規制テストはまた、ＥＡＢと同様に容易く指定かつテストできる。ある代案として、新しいＳＩＢを導入するまたはＳＩＢ２にビットを追加することがあってよい。
【００５１】
ある特定の他の実施形態では、ＡＣＤＣ規制をオフにする時のアクセス負荷を平滑化するために、ＡＣＤＣカテゴリ全てに共通である１つの単一ビットが導入されてよい。例えば、１０の異なるアクセスクラスに対する単一の１０ビットのビットマップが導入されてよい。例えば、特定の実施形態では、ワイヤレスデバイス１１０がオン／オフ規制ビット（カテゴリ全体に対して共通のビット）に基づいて先に規制されたとしたら、ワイヤレスデバイス１１０は共通のビットマップをチェックするものとする。実施形態の特定の例では、０の値は、アクセスクラスが規制されていないことを指示することができる。従って、ワイヤレスデバイス１１０が属する特定のアクセスクラスに対する規制ビットが０である時、ワイヤレスデバイスはネットワーク１００に再びアクセスすることが許可されてよい。
【００５２】
実施形態の別の例では、ＡＣＤＣ規制情報は規制されている最上位のカテゴリに対してのみシグナリングされてよい。より低位のＡＣＤＣカテゴリは同様に暗黙的に規制されてよい。この実施形態では、ワイヤレスデバイス１１０は、ワイヤレスデバイス１１０が属するカテゴリまたは任意のより上位のカテゴリが規制されているかどうかを判断できる。そのカテゴリまたはより上位のカテゴリが規制されている場合、ワイヤレスデバイス１１０は規制される。しかしながら、このソリューションが先の実施形態または任意の他の規制ソルーションで使用可能であることは、一般的に認識される。
【００５３】
実施形態のさらに別の例では、ＡＣＤＣ規制情報は、有効期限と共に、規制されている最上位のＡＣＤＣカテゴリに対してシグナリングされてよい。この有効期限は、ＡＣＤＣ規制情報が変更になったかどうかを判断するために、ＡＣＤＣ規制を受けているワイヤレスデバイス１１０がシステム情報を再び読み取るべきである時に指示することができる。このソリューションは、先の実施形態または任意の他の規制ソリューションで使用可能である。
【００５４】
図５は、ある特定の実施形態に従って、ネットワークノード１１５によって、ＡＣＤＣに基づいてネットワークへのアクセスを提供するための例示の方法５００を示す。該方法は、ネットワークノード１１５がＡＣＤＣ規制情報を判断する時にステップ５０２で始まる。ＡＣＤＣ規制情報は、ワイヤレスデバイスに対する複数のＡＣＤＣカテゴリについての指示、および複数のアクセスクラスに対するビットマップのうちの少なくとも１つを含むことができる。
【００５５】
特定の実施形態では、特定のＡＣＤＣカテゴリに対する指示は１つのビットを含むことができ、それによって、１つのビットに対する第１の値は複数のＡＣＤＣカテゴリのうちの特定の１つが規制されていることを指示することができ、かつ、１つのビットに対する第２の値は複数のＡＣＤＣカテゴリのうちの特定の１つが規制されていないことを指示することができるようにする。例えば、０は、ＡＣＤＣカテゴリが規制されていることを指示可能であり、１は、ＡＣＤＣカテゴリが規制されていないことを指示可能である。特定の実施形態では、ビットマップは複数のビットを含むことができ、それぞれのビットは、複数のアクセスクラスのうちの関連付けられた１つが規制されているかどうかを指示することができる。
【００５６】
ステップ５０４では、ネットワークノード１１５は、ＡＣＤＣ規制情報をワイヤレスデバイスに送信可能である。特定の実施形態では、複数のＡＣＤＣカテゴリのそれぞれ１つに対する指示を含む第１の通信は、ワイヤレスデバイスに送信されてよい。ビットマップを含む第２の通信は、ワイヤレスデバイスに送信されてよい。
【００５７】
ある特定の実施形態では、上述されるようなＡＣＤＣに基づいてネットワークにアクセスするための方法は、仮想コンピューティングデバイスによって行われてよい。図６は、ある特定の実施形態に従って、ＡＣＤＣに基づいてネットワークにアクセスする仮想コンピューティングデバイス４００の例を示す。ある特定の実施形態では、仮想コンピューティングデバイス６００は、図５に示されかつ説明される方法に関して上述されるものと同様のステップを行うためのモジュールを含むことができる。例えば、仮想コンピューティングデバイス６００は、少なくとも１つの判断モジュール６１０および少なくとも１つの送信モジュール６２０、ならびに、ＡＣＤＣに基づいてネットワークにアクセスするための任意の他の適したモジュールを含むことができる。いくつかの実施形態では、モジュールの１つまたは複数は、図２の１つまたは複数のプロセッサ２２０を使用して実装されてよい。ある特定の実施形態では、さまざまなモジュールの２つ以上の機能は単一のモジュールに組み合わせられてよい。
【００５８】
判断モジュール６１０は、仮想コンピューティングデバイス６００の判断機能を果たすことができる。例えば、ある特定の実施形態では、判断モジュール６１０はＡＣＤＣ規制情報を判断できる。ＡＣＤＣ規制情報は、ワイヤレスデバイスに対する複数のＡＣＤＣカテゴリについての指示、および複数のアクセスクラスに対するビットマップのうちの少なくとも１つを含むことができる。特定の実施形態では、特定のＡＣＤＣカテゴリに対する特定の指示は１つのビットを含むことができる。１つのビットに対する第１の値は、複数のＡＣＤＣカテゴリの特定の１つが規制されていることを指示できるのに対し、１つのビットに対する第２の値は、複数のＡＣＤＣカテゴリの特定の１つが規制されていないことを指示できる。例えば、０は、ＡＣＤＣカテゴリが規制されていることを指示可能であり、１は、ＡＣＤＣカテゴリが規制されていないことを指示可能である。特定の実施形態では、ビットマップは複数のビットを含むことができ、それぞれのビットは、複数のアクセスクラスのうちの関連付けられた１つが規制されているかどうかを指示することができる。送信モジュール６２０は、仮想コンピューティングデバイス６００の送信機能を果たすことができる。例えば、ある特定の実施形態では、送信モジュール６２０は、ＡＣＤＣ規制情報をワイヤレスデバイスに送信することができる。特定の実施形態では、複数のＡＣＤＣカテゴリのそれぞれ１つに対する指示は、第１の通信で送信されてよい。複数のアクセスクラスに対するビットマップは、第２の通信で送信されてよい。
【００５９】
仮想コンピューティングデバイス６００の他の実施形態は、図６に示されるもの以外に、（上述されるソリューションをサポートするために必要な任意の機能性を含む）上述される機能性および／または任意の追加の機能性のいずれかを含む、ワイヤレスデバイス１１０の機能性のある特定の態様を提供することを担う場合がある、追加のコンポーネントを含むことができる。さまざまな異なるタイプのワイヤレスデバイス１１０は、同じ物理ハードウェアを有するが（例えばプログラミングによって）異なる無線アクセス技術をサポートするように構成されるコンポーネントを含むことができる、または、異なる物理コンポーネントを部分的にまたは全て表すことができる。
【００６０】
図７は、ある特定の実施形態に従って、ＡＣＤＣに基づいてネットワークにアクセスするための、ワイヤレスデバイスによる方法７００の例を示す。方法は、ワイヤレスデバイス１１０がネットワークノード１１５からＡＣＤＣ規制情報を受信する時にステップ７０２で始まる。ある特定の実施形態では、ＡＣＤＣ規制情報は、複数のＡＣＤＣカテゴリのそれぞれ１つに対する指示、および複数のアクセスクラスに対するビットマップのうちの少なくとも１つを含む。特定の実施形態では、ＡＣＤＣ規制情報を受信することは、ＡＣＤＣクラスのそれぞれ１つに対する指示を含む第１の通信を受信することと、複数のアクセスクラスに対するビットマップを含む第２の通信を受信することとを含むことができる。
【００６１】
特定の実施形態では、特定のＡＣＤＣカテゴリに対する特定の指示は１つのビットを含む。例えば、１つのビットに対する第１の値は、特定のＡＣＤＣカテゴリが規制されていることをワイヤレスデバイスに指示することができる。対照的に、１つのビットに対する第２の値は、特定のＡＣＤＣカテゴリが規制されていないことをワイヤレスデバイスに指示することができる。
【００６２】
ある特定の実施形態では、ビットマップは複数のビットを含むことができる。複数のビットのそれぞれは、複数のアクセスクラスのうちの関連付けられた１つが規制されているかどうかを指示することができる。特定の実施形態では、ビットマップは複数のＡＣＤＣカテゴリに共通であるアクセスクラス規制情報を含むことができる。
【００６３】
ステップ７０４では、ワイヤレスデバイス１１０は、ネットワークへのアクセスが規制されているかを、ワイヤレスデバイス上のアプリケーションに関連付けられる特定のＡＣＤＣカテゴリに対する特定の指示に基づいて、判断可能である。この判断は、ネットワーク１００との第１の接続を開始するワイヤレスデバイス１１０のアプリケーションに応答したものであってよい。
【００６４】
ステップ７０６において、ネットワーク１００との第２の接続を開始するワイヤレスデバイス１１０のアプリケーションに応答して、ワイヤレスデバイス１１０は、ネットワーク１００へのアクセスがアプリケーションに関連付けられる特定のＡＣＤＣカテゴリに対して規制から非規制に変更になっているかを判断する。ある特定の実施形態では、ＡＣＤＣ規制情報は規制されている最上位のＡＣＤＣカテゴリの情報を含むことができる。かかるシナリオでは、ネットワークへのアクセスが規制から非規制に変更になっていることを判断することは、アプリケーションが関連付けられる特定のＡＣＤＣカテゴリが、規制されている最上位のＡＣＤＣカテゴリより上位であるかを判断することを含むことができる。
【００６５】
ステップ７０８では、ワイヤレスデバイス１１０は、ネットワーク１００へのアクセスが、複数のアクセスクラスに対するビットマップ、およびワイヤレスデバイス１１０に関連付けられたアクセスクラスに基づいて、ブロックされているまたは許可されているかどうかを判断する。
【００６６】
ある特定の実施形態では、上述されるようなＡＣＤＣに基づいてネットワークにアクセスするための方法は、仮想コンピューティングデバイスによって行われてよい。図８は、ある特定の実施形態に従って、ＡＣＤＣに基づいてネットワークにアクセスできるようにする仮想コンピューティングデバイス８００の例を示す。ある特定の実施形態では、仮想コンピューティングデバイス８００は、図７に示されかつ説明される方法に関して上述されるものと同様のステップを行うためのモジュールを含むことができる。例えば、仮想コンピューティングデバイス８００は、少なくとも１つの受信モジュール８１０、少なくとも１つの判断モジュール８２０、および、ＡＣＤＣに基づいてネットワークにアクセスできるようにするための任意の他の適したモジュールを含むことができる。いくつかの実施形態では、モジュールの１つまたは複数は、図３の１つまたは複数のプロセッサ３２０を使用して実装されてよい。ある特定の実施形態では、さまざまなモジュールの２つ以上の機能は単一のモジュールに組み合わせられてよい。
【００６７】
受信モジュール８１０は、仮想コンピューティングデバイス８００の受信機能を果たすことができる。例えば、受信モジュール８１０はＡＣＤＣ規制情報をネットワークデバイス１１５から受信することができる。ある特定の実施形態では、ＡＣＤＣ規制情報は、複数のＡＣＤＣカテゴリに対する指示、および複数のアクセスクラスに対するビットマップのうちの少なくとも１つを含む。特定の実施形態では、ＡＣＤＣ規制情報は第１の通信で受信可能であり、ビットマップは、２つのタイプの規制情報が周期的にかつ交互に受信されるように第２の通信で受信されてよい。
【００６８】
少なくとも１つの判断モジュール８２０は、仮想コンピューティングデバイス８００の判断機能を果たすことができる。例えば、特定の実施形態では、判断モジュール８２０は、ネットワーク１００へのアクセスが、アプリケーションに関連付けられた特定のＡＣＤＣカテゴリに対する特定の指示に基づいて規制されているかを判断できる。この判断は、ネットワーク１００との第１の接続を開始するワイヤレスデバイス１１０のアプリケーションに応答したものであってよい。
【００６９】
別の例として、少なくとも１つの判断モジュール８２０は、ネットワーク１００との第２の接続を開始するワイヤレスデバイス１１０のアプリケーションに応答して、ネットワーク１００へのアクセスがアプリケーションに関連付けられた特定のＡＣＤＣカテゴリに対して規制から非規制に変更になっているかを判断することができる。ある特定の実施形態では、ＡＣＤＣ規制情報は、規制されている最上位のＡＣＤＣカテゴリの情報を含むことができる。かかるシナリオでは、少なくとも１つの判断モジュール８２０は、アプリケーションが関連付けられる特定のＡＣＤＣカテゴリが、規制されている最上位のＡＣＤＣカテゴリより上位であるかを判断することができる。
【００７０】
別の例として、少なくとも１つの判断モジュール８０２は、ネットワーク１００へのアクセスが、複数のアクセスクラスに対するビットマップ、およびワイヤレスデバイス１１０に関連付けられたアクセスクラスに基づいて、ブロックされているまたは許可されているかどうかを判断することができる。
【００７１】
仮想コンピューティングデバイス８００の他の実施形態は、図８に示されるもの以外に、（上述されるソリューションをサポートするために必要な任意の機能性を含む）上述される機能性および／または任意の追加の機能性のいずれかを含む、ワイヤレスデバイス１１０の機能性のある特定の態様を提供することを担う場合がある、追加のコンポーネントを含むことができる。さまざまな異なるタイプのワイヤレスデバイス１１０は、同じ物理ハードウェアを有するが（例えばプログラミングによって）異なる無線アクセス技術をサポートするように構成されるコンポーネントを含むことができる、または、異なる物理コンポーネントを部分的にまたは全て表すことができる。
【００７２】
図９は、ある特定の実施形態に従って、例示の無線ネットワークコントローラ１２０またはコアネットワークノード１３０を示すブロック図である。ネットワークノードの例は、移動交換局（ＭＳＣ）、サービングＧＰＲＳサポートノード（ＳＧＳＮ）、モビリティ管理エンティティ（ＭＭＥ）、無線ネットワークコントローラ（ＲＮＣ）、および基地局コントローラ（ＢＳＣ）などを含むことができる。ネットワークノードは、プロセッサ９２０、メモリ９３０、およびネットワークインターフェース９４０を含む。いくつかの実施形態では、プロセッサ９２０は、ネットワークノードによって提供される上述される機能性のいくつかまたは全てを提供するための命令を実行し、メモリ９３０は、プロセッサ９２０によって実行される命令を記憶し、ネットワークインターフェース９４０は、ゲートウェイ、スイッチ、ルータ、インターネット、公衆交換電話網（ＰＳＴＮ）、無線ネットワークノード１１５、無線ネットワークコントローラ１２０、コアネットワークノード１３０といった、適したノードに対して信号を通信する。
【００７３】
プロセッサ９２０は、説明されるネットワークノードの機能のいくつかまたは全てを果たすように命令を実行しかつデータを操作するために１つまたは複数のモジュールに実装されるハードウェアおよびソフトウェアの任意の適した組み合わせを含むことができる。いくつかの実施形態では、プロセッサ９２０は、例えば、１つもしくは複数のコンピュータ、１つもしくは複数の中央処理装置（ＣＰＵ）、１つもしくは複数のマイクロプロセッサ、１つもしくは複数のアプリケーション、および／または他のロジックを含むことができる。
【００７４】
メモリ９３０は、一般的に、コンピュータプログラム、ソフトウェア、ロジック、規則、アルゴリズム、コード、表などの１つまたは複数を含むアプリケーションなどの命令、および／または、プロセッサによって実行可能である他の命令を記憶するように動作可能である。メモリ９３０の例は、コンピュータメモリ（例えば、ランダムアクセスメモリ（ＲＡＭ）または読み取り専用メモリ（ＲＯＭ））、大容量記憶媒体（例えば、ハードディスク）、取り外し可能記憶媒体（例えば、コンパクトディスク（ＣＤ）またはデジタルビデオディスク（ＤＶＤ））、ならびに／または、情報を記憶する任意の他の揮発性もしくは不揮発性、非一時的コンピュータ可読および／もしくはコンピュータ実行可能メモリデバイスを含む。
【００７５】
いくつかの実施形態では、ネットワークインターフェース９４０は、プロセッサ９２０に通信可能に結合され、ネットワークノードに対する入力を受信する、ネットワークノードからの出力を送る、入力、出力、またはこの両方の適した処理を行う、他のデバイスに通信する、または、前述の任意の組み合わせを行うように動作可能である任意の適したデバイスに言及することができる。ネットワークインターフェース９４０は、適切なハードウェア（例えば、ポート、モデム、ネットワークインターフェースカードなど）、および、ネットワークを通して通信するための、プロトコル変換およびデータ処理能力を含むソフトウェアを含むことができる。
【００７６】
ネットワークノードの他の実施形態は、図９に示されるもの以外に、（上述されるソリューションをサポートするために必要な任意の機能性を含む）上述される機能性および／または任意の追加の機能性のいずれかを含む、ネットワークノードの機能性のある特定の態様を提供することを担う場合がある、追加のコンポーネントを含むことができる。
【００７７】
ある特定の実施形態によると、ネットワークノードによって、データ通信用アプリケーション別輻輳制御（ＡＣＤＣ）のアクセス制御情報を提供するための方法が提供される。方法は、複数のＡＣＤＣカテゴリのそれぞれ１つに対する指示、および複数のアクセスクラスに対するビットマップのうちの少なくとも１つを含むＡＣＤＣ規制情報を判断することを含む。ネットワークノードはＡＣＤＣ規制情報をワイヤレスデバイスに送信する。
【００７８】
ある特定の実施形態によると、データ通信用アプリケーション別輻輳制御（ＡＣＤＣ）のアクセス制御情報を提供するネットワークノードは、命令を記憶するメモリと、該命令を実行するように動作可能であるプロセッサであって、該プロセッサにＡＣＤＣ規制情報を判断させる、プロセッサとを含む。ＡＣＤＣ規制情報は、複数のＡＣＤＣカテゴリのそれぞれ１つに対する指示、および複数のアクセスクラスに対するビットマップのうちの少なくとも１つを含む。ＡＣＤＣ規制情報はワイヤレスデバイスに送信される。
【００７９】
ある特定の実施形態によると、ワイヤレスデバイスによって、データ通信用アプリケーション別輻輳制御（ＡＣＤＣ）に基づいてネットワークへのアクセスを判断するための方法が提供される。方法は、ＡＣＤＣ規制情報をネットワークノードから受信することを含む。ＡＣＤＣ規制情報は、複数のＡＣＤＣカテゴリのそれぞれ１つに対する指示、および複数のアクセスクラスに対するビットマップのうちの少なくとも１つを含む。ネットワークとの第１の接続を開始するワイヤレスデバイスのアプリケーションに応答して、ワイヤレスデバイスは、ネットワークへのアクセスが規制されているかを、アプリケーションに関連付けられる特定のＡＣＤＣカテゴリに対する特定の指示に基づいて判断する。ネットワークとの第２の接続を開始するワイヤレスデバイスのアプリケーションに応答して、ワイヤレスデバイスは、ネットワークへのアクセスが、アプリケーションに関連付けられる特定のＡＣＤＣカテゴリに対して、規制から非規制に変更になっているかを判断する。複数のアクセスクラスに対するビットマップ、およびワイヤレスデバイスに関連付けられるアクセスクラスに基づいて、ワイヤレスデバイスは、ワイヤレスデバイスによるネットワークへのアクセスがブロックされているまたは許可されているかどうかを判断する。
【００８０】
ある特定の実施形態によると、ワイヤレスデバイスは、データ通信用アプリケーション別輻輳制御（ＡＣＤＣ）に基づいてネットワークにアクセスするための命令を記憶するメモリと、該命令を実行するように動作可能であるプロセッサであって、該プロセッサにＡＣＤＣ規制情報をネットワークノードから受信させるプロセッサとを含む。ＡＣＤＣ規制情報は、複数のＡＣＤＣカテゴリのそれぞれ１つに対する指示、および複数のアクセスクラスに対するビットマップのうちの少なくとも１つを含む。ネットワークとの第１の接続を開始するワイヤレスデバイスのアプリケーションに応答して、プロセッサは、ネットワークへのアクセスが規制されているかを、アプリケーションに関連付けられる特定のＡＣＤＣカテゴリに対する特定の指示に基づいて判断する。ネットワークとの第２の接続を開始するワイヤレスデバイスのアプリケーションに応答して、プロセッサは、ネットワークへのアクセスが、アプリケーションに関連付けられる特定のＡＣＤＣカテゴリに対して、規制から非規制に変更になっているかを判断する。複数のアクセスクラスに対するビットマップ、およびワイヤレスデバイスに関連付けられるアクセスクラスに基づいて、プロセッサは、ワイヤレスデバイスによるネットワークへのアクセスがブロックされているまたは許可されているかどうかを判断する。
【００８１】
本開示のいくつかの実施形態は、１つまたは複数の技術的利点を提供することができる。例えば、ある特定の実施形態では、システム情報ブロック（ＳＩＢ）シグナリングオーバーヘッドは低減可能である。別の利点は、ＡＣＤＣサービス要件を満たすことができることとすることができる。さらに別の利点は、アクセス規制スキームがＥ−ＵＴＲＡＮに限定され得ず、ＵＴＲＡＮにも適用可能であることとすることができる。ある特定の実施形態では、サービングネットワークノードは、アクセス制御の他の形態でＡＣＤＣを同時に指示可能とすることができる。さらに別の利点は、ＡＣＤＣおよびアクセス制御ブロック（ＡＣＢ）の制御両方が指示される時、ＡＣＤＣがＡＣＢをオーバーライドするものとすることであってよい。同じアクセスネットワークを共有する複数のコアネットワークの場合、アクセスネットワークは異なるコアネットワークに対してＡＣＤＣを個々に適用することができるものとする。共有されるＲＡＮにおける輻輳の軽減のために、規制レートは参加するオペレータ全てに対して等しく設定されてよい。
【００８２】
いくつかの実施形態は、これらの利点のいくつかから、どれからでもなく、または全てから有益であってよい。他の技術的利点は当業者には容易に確認できる。
【００８３】
本発明の範囲から逸脱することなく、本明細書に開示されるシステムおよび装置に対して、修正、追加、または省略が行われてよい。システムおよび装置のコンポーネントは統合されるか分離されてよい。また、システムおよび装置の動作は、より多くの、より少ない、または他のコンポーネントによって行われてよい。さらに、システムおよび装置の動作は、ソフトウェア、ハードウェア、および／または他のロジックを含む任意の適したロジックを使用して行われてよい。本書で使用されるように、「それぞれ」はセットのそれぞれのメンバまたはセットのサブセットのそれぞれのメンバに言及する。
【００８４】
他の実装形態は、説明した方法を行うように構成されるワイヤレス通信デバイスおよび／もしくはアクセスノード、または、ワイヤレス通信デバイスおよび／またはアクセスノードが説明した方法を行うワイヤレス通信システムを含むことができる。
【００８５】
本発明の範囲から逸脱することなく、本明細書に開示される方法に対して、修正、追加、または省略が行われてよい。該方法は、より多くの、より少ない、または他のステップを含むことができる。さらに、ステップは任意の適した順序で行われてよい。
【図１】
0006578434.tif 000007
【図２】
0006578434.tif 000008
【図３】
0006578434.tif 000009
【図４】
0006578434.tif 000010
【図５】
0006578434.tif 000011
【図６】
0006578434.tif 000012
【図７】
0006578434.tif 000013
【図８】
0006578434.tif 000014
【図９】
0006578434.tif 000015